(57)【要約】【課題】仕訳明細データが修正された場合に、その事実を容易に知ることができる会計処理装置等を提供する。【解決手段】プリンタ５と、ナンバー生成要求に一意に対応するナンバーを生成するナンバー生成処理部３と、仕訳に関する情報及びナンバーを各々が含む複数の仕訳明細データを記録するための仕訳明細データ記録部２と、複数の仕訳明細データの中から入力された条件に合致する１群の仕訳明細データを抽出し、ナンバー生成処理部３によって生成されたナンバーを１群の仕訳明細データ内に格納し、１群の仕訳明細データに基づく仕訳伝票又は仕訳チェックリストをプリンタ５に印刷させる帳票作成処理部４とを具備する。【選択図】  図２
2004355099.tif 000002
【特許請求の範囲】
【請求項１】
プリンタと、
識別子を生成する要求に応じて、前記識別子を生成する要求に一意に対応する識別子を生成する識別子生成手段と、
仕訳に関する情報及び識別子を各々が含む複数の仕訳明細データを記録するための記録手段と、
前記複数の仕訳明細データの中から入力された条件に合致する１群の仕訳明細データを抽出し、前記識別子生成手段に識別子の生成を要求し、前記識別子生成手段によって生成された識別子を前記１群の仕訳明細データ内に格納し、前記１群の仕訳明細データに基づく所定の表を前記プリンタに印刷させる作表手段と、を具備する会計処理装置。
【請求項２】
前記複数の仕訳明細データの中のいずれかの仕訳明細データ内の仕訳に関する情報を修正する要求を受けた場合に、修正対象である仕訳明細データ内の仕訳に関する情報を修正するとともに、修正対象である仕訳明細データ内の識別子と同一の識別子を有する全ての仕訳明細データ内の識別子を所定の値に変更する仕訳明細データ修正処理手段を更に具備する請求項１記載の会計処理装置。
【請求項３】
前記作表手段が、前記複数の仕訳明細データの中から、入力された識別子を含む第２群の仕訳明細データを抽出し、前記第２群の仕訳明細データに基づく所定の表を前記プリンタに印刷させる、請求項１又は２記載の会計処理装置。
【請求項４】
前記作表手段が、仕訳伝票又は仕訳チェックリストを前記プリンタに印刷させる、請求項１〜３のいずれか１項に記載の会計処理装置。
【請求項５】
仕訳に関する情報及び識別子を含む複数の仕訳明細データの中から入力された条件に合致する１群の仕訳明細データを抽出するステップ（ａ）と、
識別子を生成する要求に応じて、前記識別子を生成する要求に一意に対応する識別子を生成するステップ（ｂ）と、
識別子の生成を要求し、生成された識別子を前記１群の仕訳明細データ内に格納するステップ（ｃ）と、
前記１群の仕訳明細データに基づく所定の表を印刷するステップ（ｄ）と、
を具備する会計処理方法。
【請求項６】
前記複数の仕訳明細データの中のいずれかの仕訳明細データ内の仕訳に関する情報を修正する要求を受けるステップ（ｅ）と、
修正対象である仕訳明細データ内の仕訳に関する情報を修正するとともに、修正対象である仕訳明細データ内の識別子と同一の識別子を有する全ての仕訳明細データ内の識別子を所定の値に変更するステップ（ｆ）と、
を更に具備する請求項５記載の会計処理方法。
【請求項７】
前記複数の仕訳明細データの中から、入力された識別子を含む第２群の仕訳明細データを抽出するステップ（ｇ）と、
前記第２群の仕訳明細データに基づく所定の表を印刷するステップ（ｈ）と、を更に具備する請求項５又は６記載の会計処理方法。
【請求項８】
ステップ（ｄ）又は（ｈ）が、仕訳伝票又は仕訳チェックリストを印刷する、請求項５〜７のいずれか１項に記載の会計処理方法。
【請求項９】
仕訳に関する情報及び識別子を含む複数の仕訳明細データの中から入力された条件に合致する１群の仕訳明細データを抽出する手順（ａ）と、
識別子を生成する要求に応じて、前記識別子を生成する要求に一意に対応する識別子を生成する手順（ｂ）と、
識別子の生成を要求し、生成された識別子を前記１群の仕訳明細データ内に格納する手順（ｃ）と、
前記１群の仕訳明細データに基づく所定の表を印刷する手順（ｄ）と、
をＣＰＵに実行させるための会計処理プログラム。
【請求項１０】
前記複数の仕訳明細データの中のいずれかの仕訳明細データ内の仕訳に関する情報を修正する要求を受ける手順（ｅ）と、
修正対象である仕訳明細データ内の仕訳に関する情報を修正するとともに、修正対象である仕訳明細データ内の識別子と同一の識別子を有する全ての仕訳明細データ内の識別子を所定の値に変更する手順（ｆ）と、
を更に具備する請求項９記載の会計処理プログラム。
【請求項１１】
前記複数の仕訳明細データの中から、入力された識別子を含む第２群の仕訳明細データを抽出する手順（ｇ）と、
前記第２群の仕訳明細データに基づく所定の表を印刷する手順（ｈ）と、
を更に具備する請求項９又は１０記載の会計処理プログラム。
【請求項１２】
手順（ｄ）又は（ｈ）が、仕訳伝票又は仕訳チェックリストを印刷する、請求項９〜１１のいずれか１項に記載の会計処理プログラム。
【発明の詳細な説明】
【０００１】
【発明の属する技術分野】
本発明は、会計処理装置に関し、さらに、会計処理方法及び会計処理プログラムに関する。
【０００２】
【従来の技術】
従来より、会計処理装置において、仕訳明細データのチェック等のため、仕訳伝票及び仕訳チェックリストを印刷することが行われている。図１７は、従来の会計処理装置における仕訳明細データの一例を示す図である。
図１７に示すように、従来の仕訳明細データは、仕訳伝票を印刷したか否かを示す仕訳伝票印刷済フラグ及び仕訳チェックリストを印刷したか否かを示す仕訳チェックリスト印刷済フラグを有している。従来の会計処理装置は、これら仕訳伝票印刷済フラグ及び仕訳チェックリスト印刷済フラグを参照することにより、仕訳伝票及び仕訳チェックリストを印刷したか否かを判断することができる。これにより、既に印刷された仕訳伝票及び仕訳チェックリストと同一の仕訳伝票及び仕訳チェックリストを再び印刷することを防止し、紙資源の節約等を図ることができる。
【０００３】
しかしながら、従来の会計処理装置においては、仕訳伝票及び仕訳チェックリストの基となる複数の仕訳明細データの内のいずれかの仕訳明細データが修正された場合に、その事実を容易に知ることができなかった。
【０００４】
【発明が解決しようとする課題】
そこで、上記の点に鑑み、本発明は、仕訳明細データが修正された場合に、その事実を容易に知ることができる会計処理装置を提供することを目的とする。また、本発明は、そのような会計処理方法及び会計処理プログラムを提供することを目的とする。
【０００５】
【課題を解決するための手段】
以上の課題を解決するため、本発明に係る会計処理装置は、プリンタと、識別子を生成する要求に応じて、識別子を生成する要求に一意に対応する識別子を生成する識別子生成手段と、仕訳に関する情報及び識別子を各々が含む複数の仕訳明細データを記録するための記録手段と、複数の仕訳明細データの中から入力された条件に合致する１群の仕訳明細データを抽出し、識別子生成手段に識別子の生成を要求し、識別子生成手段によって生成された識別子を１群の仕訳明細データ内に格納し、１群の仕訳明細データに基づく所定の表をプリンタに印刷させる作表手段とを具備する。
【０００６】
ここで、複数の仕訳明細データの中のいずれかの仕訳明細データ内の仕訳に関する情報を修正する要求を受けた場合に、修正対象である仕訳明細データ内の仕訳に関する情報を修正するとともに、修正対象である仕訳明細データ内の識別子と同一の識別子を有する全ての仕訳明細データ内の識別子を所定の値に変更する仕訳明細データ修正処理手段を更に具備することとしても良い。
また、作表手段が、複数の仕訳明細データの中から、入力された識別子を含む第２群の仕訳明細データを抽出し、第２群の仕訳明細データに基づく所定の表をプリンタに印刷させることとしても良い。
【０００７】
また、作表手段が、仕訳伝票又は仕訳チェックリストをプリンタに印刷させることとしても良い。
【０００８】
また、本発明に係る会計処理方法は、仕訳に関する情報及び識別子を含む複数の仕訳明細データの中から入力された条件に合致する１群の仕訳明細データを抽出するステップ（ａ）と、識別子を生成する要求に応じ、識別子を生成する要求に一意に対応する識別子を生成するステップ（ｂ）と、識別子の生成を要求し、生成された識別子を１群の仕訳明細データ内に格納するステップ（ｃ）と、１群の仕訳明細データに基づく所定の表を印刷するステップ（ｄ）とを具備する。
【０００９】
ここで、複数の仕訳明細データの中のいずれかの仕訳明細データ内の仕訳に関する情報を修正する要求を受けるステップ（ｅ）と、修正対象である仕訳明細データ内の仕訳に関する情報を修正するとともに、修正対象である仕訳明細データ内の識別子と同一の識別子を有する全ての仕訳明細データ内の識別子を所定の値に変更するステップ（ｆ）とを更に具備することとしても良い。
また、複数の仕訳明細データの中から、入力された識別子を含む第２群の仕訳明細データを抽出するステップ（ｇ）と、第２群の仕訳明細データに基づく所定の表を印刷するステップ（ｈ）とを更に具備することとしても良い。
【００１０】
また、ステップ（ｄ）又は（ｈ）が、仕訳伝票又は仕訳チェックリストを印刷することとしても良い。
【００１１】
さらに、本発明に係る会計処理プログラムは、仕訳に関する情報及び識別子を含む複数の仕訳明細データの中から入力された条件に合致する１群の仕訳明細データを抽出する手順（ａ）と、識別子を生成する要求に応じ、識別子を生成する要求に一意に対応する識別子を生成する手順（ｂ）と、識別子の生成を要求し、生成された識別子を１群の仕訳明細データ内に格納する手順（ｃ）と、１群の仕訳明細データに基づく所定の表を印刷する手順（ｄ）とをＣＰＵに実行させる。
【００１２】
ここで、複数の仕訳明細データの中のいずれかの仕訳明細データ内の仕訳に関する情報を修正する要求を受ける手順（ｅ）と、修正対象である仕訳明細データ内の仕訳に関する情報を修正するとともに、修正対象である仕訳明細データ内の識別子と同一の識別子を有する全ての仕訳明細データ内の識別子を所定の値に変更する手順（ｆ）とを更に具備することとしても良い。
また、複数の仕訳明細データの中から、入力された識別子を含む第２群の仕訳明細データを抽出する手順（ｇ）と、第２群の仕訳明細データに基づく所定の表を印刷する手順（ｈ）とを更に具備することとしても良い。
【００１３】
また、手順（ｄ）又は（ｈ）が、仕訳伝票又は仕訳チェックリストを印刷することとしても良い。
【００１４】
上記構成によれば、仕訳明細データが修正された場合に、その事実を容易に知ることができる。
【００１５】
【発明の実施の形態】
以下、図面に基づいて本発明の実施の形態について説明する。
図１は、本発明の一実施形態に係る会計処理装置を用いたシステムを示す図である。図１に示すように、システム１０は、本発明の一実施形態としてのサーバ１と、クライアント端末１１〜１ｎとを具備しており、これらは、ネットワークを介して相互に接続されている。
図２は、図１のサーバ１の構成を示す図である。図２に示すように、サーバ１は、仕訳明細データ記録部２と、ナンバー生成処理部３と、帳票作成処理部４と、プリンタ５と、仕訳明細データ修正処理部６とを具備する。サーバ１は、クライアント端末１１〜１ｎを使用するユーザからの指示に応じて、会計に関する表（本実施形態においては、仕訳伝票及び仕訳チェックリスト）の作成を行う。
【００１６】
仕訳明細データ記録部２は、複数の仕訳明細データを記録する。図３は、仕訳明細データ記録部２に記録される複数の仕訳明細データの一例を示す図である。図３に示すように、仕訳明細データの各々は、仕訳に関する情報、仕訳伝票の印刷状況に関する識別子としてのナンバーである仕訳伝票束番号、及び、仕訳チェックリストの印刷状況に関する識別子としてのナンバーである仕訳チェックリスト束番号を格納可能である。仕訳に関する情報は、科目番号、科目名、伝票番号（伝票Ｎｏ．）、金額等を含む。なお、図３に示す複数の仕訳明細データの仕訳伝票束番号及び仕訳チェックリスト束番号は、「ＮＵＬＬ」となっている。本実施形態においては、「ＮＵＬＬ」は、仕訳伝票及び仕訳チェックリストが未だ印刷されていないことを表している。
【００１７】
再び図２を参照すると、ナンバー生成処理部３は、帳票作成処理部４からの要求に応じて、帳票作成処理部４からの要求に一意に対応するナンバーを生成する。従って、ナンバー生成処理部３は、同一のナンバーを２度以上生成することはない。
帳票作成処理部４は、クライアント端末１１〜１ｎを使用するユーザからの要求に応じて、仕訳伝票又は仕訳チェックリストを作成し、プリンタ５に印刷させる。
仕訳明細データ修正処理部６は、クライアント端末１１〜１ｎを使用するユーザからの要求に応じて、仕訳明細データ記録部２に記録されている仕訳明細データを修正する。
【００１８】
図２に示すナンバー生成処理部３、帳票作成処理部４、及び、仕訳明細データ修正処理部６は、ＣＰＵとソフトウェア（プログラム）で構成することができる。このプログラムと、仕訳明細データは、ハードディスク、フレキシブルディスク、ＭＯ、ＭＴ、ＲＡＭ、ＣＤ−ＲＯＭ、又は、ＤＶＤ−ＲＯＭ等の記録媒体に記録することができる。
【００１９】
図４は、サーバ１の仕訳伝票印刷処理の概要を示すフローチャートである。以下、サーバ１の仕訳伝票印刷処理について、図４を参照しながら説明する。
まず、クライアント端末（ここでは、クライアント端末１１とする）を使用しているユーザが、仕訳伝票を印刷するための条件（例えば、伝票番号、発生日等）を入力し、サーバ１の帳票作成処理部４が、この条件を受信する（ステップＳ１０１）。ここでは、ユーザが、仕訳伝票を印刷するための条件として、伝票番号「ＹＯＫＯ２０４００００１」を入力するものとする。
【００２０】
次に、帳票作成処理部４は、仕訳明細データ記録部２に記録されている複数の仕訳明細データの中から、仕訳伝票を印刷するための条件に合致する仕訳明細データを抽出する（ステップＳ１０２）。
次に、帳票作成処理部４は、ナンバーの生成をナンバー生成処理部３に要求し、ナンバー生成処理部３は、帳票作成処理部４からの要求に一意に対応するナンバーを生成する（ステップＳ１０３）。ここでは、ナンバー生成処理部３は、「１５６２０００００００００４４８８」を生成するものとする。
【００２１】
次に、帳票作成処理部４は、ステップＳ１０３にて抽出した仕訳明細データの中の仕訳伝票束番号として、ナンバー生成処理部３によって生成されたナンバーを格納する（ステップＳ１０４）。図５は、図３に示す仕訳明細データの内の伝票番号「ＹＯＫＯ２０４００００１」を含む仕訳明細データの仕訳伝票束番号として「１５６２０００００００００４４８８」を格納した様子を示す図である。次に、帳票作成処理部４は、ステップＳ１０２にて抽出した仕訳明細データに基づく仕訳伝票をプリンタ５に印刷させる（ステップＳ１０５）。図６は、仕訳伝票の一例を示す図である。図６に示すように、仕訳伝票２０の左下の領域２１内には、仕訳伝票束番号「１５６２０００００００００４４８８」が記載されている。
【００２２】
このように、サーバ１は、仕訳伝票を印刷することができる。図７は、上記した仕訳伝票２０と同様にして、伝票番号「ＹＯＫＯ２０４００００２」を含む仕訳明細データに基づいて印刷した仕訳伝票を示す図である。図７に示す仕訳伝票３０の左下の領域３１内には、仕訳伝票束番号「１５６２０００００００００４４８９」が記載されている。図８は、このときの仕訳明細データを示す図である。
【００２３】
図９は、サーバ１の仕訳チェックリスト印刷処理の概要を示すフローチャートである。以下、サーバ１の仕訳チェックリスト印刷処理について、図９を参照しながら説明する。
まず、クライアント端末（ここでは、クライアント端末１１とする）を使用しているユーザが、仕訳チェックリストを印刷するための条件（例えば、伝票番号、発生日等）を入力し、サーバ１の帳票作成処理部４が、この条件を受信する（ステップＳ２０１）。ここでは、ユーザが、仕訳伝票を印刷するための条件として、発生日「２００２／１２／０１」を入力するものとする。
【００２４】
次に、帳票作成処理部４は、仕訳明細データ記録部２に記録されている複数の仕訳明細データの中から、仕訳チェックリストを印刷するための条件に合致する仕訳明細データを抽出する（ステップＳ２０２）。
次に、帳票作成処理部４は、ナンバーの生成をナンバー生成処理部３に要求し、ナンバー生成処理部３は、帳票作成処理部４からの要求に一意に対応するナンバーを生成する（ステップＳ２０３）。ここでは、ナンバー生成処理部３は、「１５６２０００００００００４５１６」を生成するものとする。
【００２５】
次に、帳票作成処理部４は、ステップＳ２０３にて抽出した仕訳明細データの仕訳チェックリスト束番号として、ナンバー生成処理部３によって生成されたナンバーを格納する（ステップＳ２０４）。図１０は、図８に示す仕訳明細データの内の発生日「２００２／１２／０１」を含む仕訳明細データの仕訳チェックリスト束番号として「１５６２０００００００００４５１６」を格納した様子を示す図である。
次に、帳票作成処理部４は、ステップＳ２０２にて抽出した仕訳明細データに基づく仕訳チェックリストをプリンタ５に印刷させる（ステップＳ２０５）。図１１は、仕訳チェックリストの一例を示す図である。図１１に示すように、この仕訳チェックリスト４０の右下の領域４１内には、仕訳チェックリスト束番号「１５６２０００００００００４５１６」が記載されている。
【００２６】
図１２は、サーバ１の仕訳明細データ修正処理の概要を示すフローチャートである。以下、サーバ１の仕訳明細データ修正処理について、図１２を参照しながら説明する。
まず、クライアント端末（ここでは、クライアント端末１２とする）を使用しているユーザが、修正対象である仕訳明細データを指定する（ステップＳ３０１）。ここでは、クライアント端末１２を使用しているユーザが、図１０に示す複数の仕訳明細データの中の第１レコードに格納されている仕訳明細データを指定するものとする。
【００２７】
次に、クライアント端末１２を使用しているユーザが、修正内容を入力する（ステップＳ３０２）。ここでは、クライアント端末１２を使用しているユーザが、伝票番号「ＹＯＫＯ２０４００００１」の伝票を画面に呼び出し、金額「２，２３３，９００」を修正するために、金額「１、２３３、９００」を入力するものとする。
次に、サーバ１の仕訳明細データ修正処理部６は、仕訳明細データの修正を行う（ステップＳ３０３）。このとき、仕訳明細データ修正処理部６は、金額「２、２３３、９００」を金額「１、２３３、９００」に修正するとともに、借方の金額の合計と貸方の金額の合計が一致するように第６レコード内の金額「３、３２５、５６１」を「２、３２５、５６１」に修正する。さらに、修正対象である仕訳明細データ内の仕訳伝票束番号（ここでは、「１５２０００００００００４４８８」）と同一の仕訳伝票束番号を有する全ての仕訳明細データ内の仕訳伝票束番号及び仕訳チェックリスト束番号を「ＮＵＬＬ」に変更する。図１３は、修正後の仕訳明細データを表す図である。
【００２８】
図１４は、サーバ１の仕訳伝票再印刷処理の概要を示すフローチャートである。以下、サーバ１の仕訳伝票再印刷処理について、図１４を参照しながら説明する。
まず、クライアント端末（ここでは、クライアント端末１１とする）を使用しているユーザが、再印刷を所望する仕訳伝票束番号を入力し、サーバ１の帳票作成処理部４が、仕訳伝票束番号を受信する（ステップＳ４０１）。
【００２９】
次に、帳票作成処理部４は、仕訳明細データ記録部２に記録されている複数の仕訳明細データの中から、ステップＳ４０１にて入力された仕訳伝票束番号を含む仕訳明細データを抽出する（ステップＳ４０２）。
次に、帳票作成処理部４は、ステップＳ４０２にて抽出した仕訳明細データに基づく仕訳伝票を作成し、プリンタ５に印刷させる（ステップＳ４０３）。
【００３０】
上記ステップＳ４０１において、例えば、クライアント端末１１を使用しているユーザが仕訳伝票束番号「１５６２０００００００００４４８９」を入力した場合、サーバ１は、仕訳伝票３０（図７参照）を再印刷する。
しかし、上記ステップＳ４０１において、例えば、クライアント端末１１を使用しているユーザが仕訳伝票束番号「１５６２０００００００００４４８８」を入力した場合、仕訳伝票束番号「１５６２０００００００００４４８８」を有する仕訳明細データが仕訳明細データ記録部２内に存在しないため（図１３参照）、サーバ１は、仕訳伝票２０（図６参照）を再印刷しない。従って、この場合、クライアント端末１１を使用しているユーザは、何者か（本実施形態においては、クライアント端末１２を使用しているユーザ）が、仕訳伝票束番号「１５２０００００００００４４８８」と同一の仕訳伝票束番号を有していたいずれかの仕訳明細データを修正したことを知ることができる。
なお、ここでは、仕訳明細データが修正された場合について説明したが、仕訳明細データが削除された場合も同様に、その事実を容易に知ることができる。
【００３１】
図１５は、サーバ１の仕訳チェックリスト再印刷処理の概要を示すフローチャートである。以下、サーバ１の仕訳チェックリスト再印刷処理について、図１５を参照しながら説明する。
まず、クライアント端末（ここでは、クライアント端末１１とする）を使用しているユーザが、再印刷を所望する仕訳チェックリスト束番号を入力し、サーバ１の帳票作成処理部４が、仕訳チェックリスト束番号を受信する（ステップＳ５０１）。ここでは、クライアント端末１１を使用しているユーザが、仕訳チェックリスト束番号「１５６２０００００００００４５１６」を入力するものとする。
【００３２】
次に、帳票作成処理部４は、仕訳明細データ記録部２に記録されている複数の仕訳明細データの中から、ステップＳ５０１にて入力された仕訳チェックリスト束番号を含む仕訳明細データを抽出する（ステップＳ５０２）。
次に、帳票作成処理部４は、ステップＳ５０２にて抽出した仕訳明細データに基づく仕訳チェックリストを作成し、プリンタ５に印刷させる（ステップＳ５０３）。図１６は、再印刷された仕訳チェックリストの一例を示す図である。図１６に示す仕訳チェックリスト６０と図１１に示す仕訳チェックリスト４０とを比較すると、仕訳チェックリスト４０の上段部分（伝票番号「ＹＯＫＯ２０４００００１」に相当）が、仕訳チェックリスト６０には記載されていない。これは、図１３に示すように、仕訳伝票束番号「１５２０００００００００４４８８」と同一の仕訳伝票束番号を有していた全ての仕訳明細データ内の仕訳チェックリスト束番号が「ＮＵＬＬ」に変更されているためである。
【００３３】
クライアント端末１１を使用しているユーザは、仕訳チェックリスト６０（図１６参照）と仕訳チェックリスト４０（図１１参照）とを比較することにより、何者か（本実施形態においては、クライアント端末１２を使用しているユーザ）が、仕訳伝票束番号「１５２０００００００００４４８８」と同一の仕訳伝票束番号を有していたいずれかの仕訳明細データを修正したことを知ることができる。
なお、ここでは、仕訳明細データが修正された場合について説明したが、仕訳明細データが削除された場合も同様に、その事実を容易に知ることができる。
【００３４】
また、本実施形態においては、仕訳伝票及び仕訳チェックリストを印刷することとしているが、他の表を印刷することとしても良い。
【００３５】
【発明の効果】
以上述べた様に、本発明によれば、仕訳明細データが修正された場合に、その事実を容易に知ることができる。
【図面の簡単な説明】
【図１】本発明の一実施形態に係る会計処理装置を用いたシステムの構成を示す図である。
【図２】図１のサーバ１の構成を示す図である。
【図３】図２の仕訳明細データ記録部２に記録される仕訳明細データの一例を示す図である。
【図４】図１のサーバ１の仕訳伝票印刷処理を示すフローチャートである。
【図５】図２の仕訳明細データ記録部２に記録される仕訳明細データの一例を示す図である。
【図６】図１のサーバ１によって印刷される仕訳伝票の一例を示す図である。
【図７】図１のサーバ１によって印刷される仕訳伝票の一例を示す図である。
【図８】図２の仕訳明細データ記録部２に記録される仕訳明細データの一例を示す図である。
【図９】図１のサーバ１の仕訳チェックリスト印刷処理を示すフローチャートである。
【図１０】図２の仕訳明細データ記録部２に記録される仕訳明細データの一例を示す図である。
【図１１】図１のサーバ１によって印刷される仕訳チェックリストの一例を示す図である。
【図１２】図１のサーバ１の仕訳明細データ修正処理を示すフローチャートである。
【図１３】図２の仕訳明細データ記録部２に記録される仕訳明細データの一例を示す図である。
【図１４】図１のサーバ１の仕訳伝票再印刷処理を示すフローチャートである。
【図１５】図１のサーバ１の仕訳チェックリスト再印刷処理を示すフローチャートである。
【図１６】図１のサーバ１によって印刷される仕訳チェックリストの一例を示す図である。
【図１７】従来の仕訳明細データの一例を示す図である。
【符号の説明】
１  サーバ
２  仕訳明細データ記録部
３  ナンバー生成処理部
４  帳票作成処理部
５  プリンタ
６  仕訳明細データ修正処理部
１０  システム
１１〜１ｎ  クライアント端末
【図１】
2004355099.tif 000003
【図２】
2004355099.tif 000004
【図３】
2004355099.tif 000005
【図４】
2004355099.tif 000006
【図５】
2004355099.tif 000007
【図６】
2004355099.tif 000008
【図７】
2004355099.tif 000009
【図８】
2004355099.tif 000010
【図９】
2004355099.tif 000011
【図１０】
2004355099.tif 000012
【図１１】
2004355099.tif 000013
【図１２】
2004355099.tif 000014
【図１３】
2004355099.tif 000015
【図１４】
2004355099.tif 000016
【図１５】
2004355099.tif 000017
【図１６】
2004355099.tif 000018
【図１７】
2004355099.tif 000019